(57)【要約】【課題】携帯端末装置に関し、防水性能の信頼性を高めることを目的とする。【解決手段】下部電極１が形成されるプリント基板２上にスペーサシート３、上部電極シート４およびドームシート５を積層したキー基板６と、キー基板６に積層されるキートップユニット７とを有するキーユニット８を備え、  フロントケース９表面に形成されたキーユニット収容凹部１０内にキーユニット８を固定した携帯情報端末装置であって、  前記キー基板６とキートップユニット７の間には、四周裏面がキーユニット収容凹部１０の底壁に接着されて該接着界面を防水シーリング面とする薄膜状の防水シート１１が介装される。【選択図】  図４
2006033203.tif 000002
【特許請求の範囲】
【請求項１】
下部電極が形成されるプリント基板上にスペーサシート、上部電極シートおよびドームシートを積層したキー基板と、キー基板に積層されるキートップユニットとを有するキーユニットを備え、
フロントケース表面に形成されたキーユニット収容凹部内にキーユニットを固定した携帯情報端末装置であって、
前記キー基板とキートップユニットの間には、四周裏面がキーユニット収容凹部の底壁に接着されて該接着界面を防水シーリング面とする薄膜状の防水シートが介装される携帯情報端末装置。
【請求項２】
前記プリント基板上には、小型点灯デバイスが実装されるとともに、
防水シートは透光性を有する材料により形成される請求項１記載の携帯情報端末装置。
【請求項３】
前記キー基板は、キーユニット収容凹部の中央部に形成されたキー基板収容凹部内に収容される請求項１または２記載の携帯情報端末装置。
【請求項４】
前記キー基板は、裏面四周が防水シーリングを兼ねる接着層によりキー基板収容凹部の底壁面に固定され、
かつ、キー基板収容凹部には、キー基板からケース内部空間内に導入されるケーブルの挿通孔が開設される請求項３記載の携帯情報端末装置。
【請求項５】
前記キートップユニットは、キーユニット収容凹部に対して着脱可能なキーカバーにより押さえられてフロントケースからの脱落が防止される請求項１から４のいずれかに記載の携帯情報端末装置。
【発明の詳細な説明】
【技術分野】
【０００１】
本発明は、携帯端末装置に関するものである。
【背景技術】
【０００２】
キー入力部の防水性能を向上させた携帯端末装置としては、特許文献１記載のものが知られている。この従来例において、キートップユニットは、スペーサシートを挟んだ上下電極とドームシートとを有するキー基板上に防滴シートを積層して形成される。防滴シートの表面周縁にはリブが形成され、該リブとケース裏面とによりキートップユニットを挟み付けることにより防水のためのシーリングがなされる。
【特許文献１】実開平６-２８９５２号公報
【発明の開示】
【発明が解決しようとする課題】
【０００３】
しかし、上述した従来例におけるシーリングは、防滴シートのリブをパッキンとして機能させることにより達成されるものであるが、ケース、あるいはリブの製造誤差の集積によってリブの撓み代にはばらつきが発生することは避けられない。
【０００４】
この結果、リブの撓み代が過小になって所望のシール性能が発揮されないことがあり、信頼性に欠けるという欠点がある。
本発明は、以上の欠点を解消すべくなされたものであって、防水性能の信頼性を高めた携帯端末装置の提供を目的とする。
【課題を解決するための手段】
【０００５】
携帯情報端末装置のキー操作面は、フロントケース９に形成されたキーユニット収容凹部１０内にキーユニット８を保持して形成される。キーユニット８は、キー基板６と、このキー基板６上に積層されるキートップユニット７とを有して構成され、キー基板６の電極等への浸水を防止するために、キー基板６とキートップユニット７との間に防水シート１１が介装される。
【０００６】
防水シート１１は、キートップユニット７への操作力が効率よくキー基板６に伝達されるように、薄い膜状に形成され、裏面四周がキーユニット収容凹部１０の底壁部に接合される。薄膜に形成される防水シート１１を裏面においてフロントケース９に接着することにより、シーリング面を確実に確保することができ、シーリングの信頼性が向上する。
【０００７】
防水シート１１のフロントケース９への接合には、防水シート１１の裏面に予め貼り付けておいた粘着テープを利用することができる。
【発明の効果】
【０００８】
本発明によれば、防水性能の信頼性を高めることができる。
【発明を実施するための最良の形態】
【０００９】
図１に携帯電話として構成された本発明の実施の形態を示す。携帯電話は、固定側本体１７に対して可動側本体１８を折り畳み可能に連結して形成される。可動側本体１８には、アンテナ１８ａが装着され、図１に示す使用姿勢において、正面に現れる位置に液晶表示部１８ｂおよびスピーカ１８ｃが配置される。
【００１０】
一方、使用姿勢において、表面に複数のキートップ１９、１９・・が並んだキー操作面が現れる固定側本体１７は、図４に示すように、リアケース２０とフロントケース９とを重ね合わせて形成されるケース本体内に制御基板２１を収容して形成される。リアケース２０とフロントケース９との連結界面には、ケース本体内への水等の侵入を防止するために適宜のパッキン（図示せず）が介装される。リアケース２０の底壁には、制御基板２１を固定するための取付ボス２０ａが立設される。
【００１１】
上記キー操作面は、フロントケース９の表面にキーユニット８を配置して形成される。図３に示すように、キーユニット８は、キー基板６と、このキー基板６上に配置されるキートップユニット７とからなり、これらキー基板６とキートップユニット７との間に防水シート１１が介装される。図３（ｂ）に示すように、キー基板６は、フレキシブルプリント基板２上に形成される下部電極１と、上部電極シート４上の上部電極４ａとをスペーサシート３により形成される間隙を隔てて対峙させ、さらに上部電極シート４上に操作時の節度感等を付与する目的でドームシート５を被せて形成される。また、フレキシブルプリント基板２上には、後述するキートップ１９を照らす光源として使用されるＬＥＤ（小型点灯デバイス１２）が実装され、さらに、一端部には配線部（ケーブル１４）が形成される。
【００１２】
一方、キートップユニット７は、複数のキートップ１９、１９・・を同一のシート上に形成したもので、キートップ１９には所定の数字等が表示される。このキートップユニット７は、キートップ１９をキーカバー１６の開口１６ａから外部に露出させた状態で配置され、所定のキートップ１９を押圧操作すると、上下電極４ａ、１が接触してキー押圧が検知される。
【００１３】
上記防水シート１１は、透水しない柔軟な合成樹脂製のシートで、この実施の形態においては、板厚０．０８（ｍｍ）程度のＰＥＴ樹脂が使用される。また、この防水シート１１は、フレキシブルプリント基板２上のＬＥＤ１２からの照射光をキートップに有効に伝達するために、透明に形成される。
【００１４】
以上のように構成されるキーユニット８を収容するフロントケース９には、防水シート１１から上方の構成要素を嵌合、収容するキーユニット収容凹部１０と、キーユニット収容凹部１０の中央部をさらに窪ませて形成され、上記キーユニット８および防水シート１１より小さなキー基板６を収容するキー基板収容凹部１３とが形成される。キー基板収容凹部１３は、上記キー基板６の高さにほぼ等しい深さ寸法を有し、所定箇所にキー基板６の配線部１４を挿通させるための挿通孔１５が開設される。
【００１５】
これらの組立に際し、まず、キー基板６をキー基板収容凹部１３に嵌合させ、固定する。キー基板６の固定は、配線部１４を挿通孔１５に挿通させて制御基板２１上のコネクタ２１ａに接続した後、フレキシブルプリント基板２の背面をキー基板収容凹部１３の底壁に接着して行われる。接着剤を使用したキー基板６の接着により、挿通孔１５およびキー基板６とフロントケース９との接触界面は完全にシーリングされるために、以後、キー基板６近傍からのケース内への水の侵入は完全に防止される。
【００１６】
次いで、上記キー基板６の上に防水シート１１が固定される。防水シート１１の固定は、接着剤によることも可能であるが、接着剤の流れ出しによるキー基板６の可動部への影響を避け、さらに、防水シート１１の接着剤による接着可能性等を考慮して、粘着剤によるのが望ましい。粘着剤による固定は、防水シート１１、あるいはフロントケース９側に予め粘着シートを貼り付けて行われる。
【００１７】
防水シート１１の固定は、上記キー基板収容凹部１３を囲むようにして配置されるキーユニット収容凹部１０の底壁に対して行われ、四周裏面が固定された防水シート１１は、固定時のみ、あるいはそれ自体の柔軟性等によってキートップへの操作性に悪影響を与えることがない。
【００１８】
以上のようにして防水シート１１を固定すると、キー基板６に対する防水シーリングが確保され、上下電極４ａ、１間の短絡等が防止される。また、防水シート１１は、広げられた状態で四周裏面が粘着されるために、薄膜状であるにもかかわらず、シーリングの信頼性も高い。
【００１９】
キートップユニット７は、上記防水シート１１上に載置され、キーカバー１６により固定される。上述したようにキーカバー１６には、キートップが挿通する開口１６ａが各キートップ１９に対応して複数設けられる。また、図２に示すように、キーカバー１６は側縁から垂下する垂下壁１６ｄを備えており、この垂下壁１６ｄの下端でキートップユニット７の周縁を押さえ付け、キートップユニット７のめくれ上がりを規制する。
【００２０】
さらに、上記垂下壁１６ｄには、係止脚１６ｂが形成される。係止脚１６ｂには係止部１６ｃが突設され、キーカバー１６は、この係止部１６ｃをキーユニット収容凹部１０の側壁に形成された被係止部１０ａに係止して着脱可能に装着される。キーカバー１６を係止状態で装着し、フロントケース９に対して着脱可能とすることにより、砂等が紛れ込んだ際には、ユーザがキーカバー１６を取り外して砂等を取り除くことが可能になり、しかも、内部の気密は防水シート１１およびキー基板６により保障されるために、機能障害の原因となることもない。
【図面の簡単な説明】
【００２１】
【図１】本発明が適用された携帯電話を示す斜視図である。
【図２】本発明の要部を示す分解斜視図である。
【図３】キー基板を示す図で、（ａ）は分解断面図、（ｂ）は組立状態の断面図である。
【図４】固定側本体の断面図である。
【符号の説明】
【００２２】
１        下部電極
２        プリント基板
３        スペーサシート
４        上部電極シート
５        ドームシート
６        キー基板
７        キートップユニット
８        キーユニット
９        フロントケース
１０      キーユニット収容凹部
１１      防水シート
１２      小型点灯デバイス
１３      キー基板収容凹部
１４      ケーブル
１５      挿通孔
１６      キーカバー
【図１】
2006033203.tif 000003
【図２】
2006033203.tif 000004
【図３】
2006033203.tif 000005
【図４】
2006033203.tif 000006